(57)【特許請求の範囲】
【請求項１】
コンテンツを供給するコンテンツ供給手段と、
前記コンテンツ供給手段に複数のコンテンツ源情報及びコンテンツ量情報を指示する情報指示手段と、
前記コンテンツ供給手段から供給されたコンテンツを出力するコンテンツ出力手段と、を備え、
前記コンテンツ供給手段は、前記各コンテンツ源情報で指定されたコンテンツを前記コンテンツ量情報で指定された出力サイズに調整して前記コンテンツ出力手段に供給する一方、前記コンテンツ出力手段は、前記コンテンツ供給手段から供給された各コンテンツをレイアウト処理して出力することを特徴とする印刷システム。
【請求項２】
請求項１に記載する印刷システムであって、
前記コンテンツ供給手段がコンテンツ源提供手段とコンテンツ量調整手段とで構成され、
前記コンテンツ量調整手段は、前記コンテンツ源提供手段に保存されたコンテンツのうち前記コンテンツ源情報で指定されたものを、前記コンテンツ量情報で指定されたコンテンツ量に基づき詳細度を調整して、前記コンテンツ出力手段に供給することを特徴とする印刷システム。
【請求項３】
請求項１又は請求項２に記載する印刷システムであって、
前記コンテンツ供給手段がコンテンツ源提供手段とコンテンツ量調整手段とで構成され、
前記コンテンツ量調整手段は、前記コンテンツ源提供手段に保存されたコンテンツのうち前記コンテンツ源情報で指定されたものを、前記コンテンツ量情報で指定されたコンテンツ量に基づき取捨選択して、前記コンテンツ出力手段に供給することを特徴とする印刷システム。
【請求項４】
請求項１乃至請求項３のいずれか一つに記載する印刷システムであって、
前記情報指示手段と前記コンテンツ出力手段とが一つの端末装置に備えられたことを特徴とする印刷システム。
【請求項５】
請求項２又は請求項３に記載する印刷システムであって、
前記情報指示手段と前記コンテンツ出力手段と前記コンテンツ量調整手段とが一つの端末装置に備えられたことを特徴とする印刷システム。
【請求項６】
請求項１乃至請求項５のいずれか一つに記載する印刷システムであって、前記コンテンツがインターネット上のものであることを特徴とする印刷システム。
【発明の詳細な説明】
【０００１】
【発明の属する技術分野】
本発明は、コンテンツ源から取得したコンテンツを出力する印刷システムに関する。
【０００２】
【従来の技術】
従来、ネットワークなどのサーバとファクシミリ端末などのクライアントとの間において、画像情報であるコンテンツに関する通信技術としては、特開平１０−３０１９５５号公報に記載された「画像情報変換装置および画像情報変換方法」や、特開平１０−３２７２８４号公報に記載された「画像情報検索装置、ＨＴＭＬ／画像情報変換装置、および多画面画像情報変換処理装置」、特開平１１−５３３８８号公報に記載された「番号埋め込み型ＨＴＭＬファイル検索装置及び番号管理サーバ装置」、特開２０００−２２８８０号公報に記載された「画像通信装置及びその処理方法」などがある。
【０００３】
この点、特開平１０−３２７２８４号公報に記載された「画像情報検索装置、ＨＴＭＬ／画像情報変換装置、および多画面画像情報変換処理装置」においては、ユーザーが指定したＨＴＭＬ文書情報がフレームを用いた多画面画像情報であっても、該ＨＴＭＬ文書情報の個々の部分画像情報を作成し、もし、これらの部分画像情報が複数ページにわたる場合には、対応する部分画像情報識別記号とページ番号を個々の部分画像情報に付加して、ページ順に出力する。従って、フレームを用いた多画面画像情報を構成する部分画像情報が遮蔽されることなく、しかも部分画像情報間相互の位置関係も把握することが可能な画像情報として、ユーザーが指定したＨＴＭＬ文書情報をＦＡＸ端末に出力することが可能となる。
【０００４】
【発明が解決しようとする課題】
しかしながら、ユーザーが指定したＨＴＭＬ文書情報が、部分画像情報単位で、遮蔽されることなく且つ相互の位置関係を把握することが可能なように、ＦＡＸ端末でＦＡＸ用紙に印刷できるといっても、このとき、ページ枚数分のＦＡＸ用紙に印刷されることから、ユーザーが指定するＨＴＭＬ文書情報の件数が増えれば、ＦＡＸ用紙も多く消費されることになって、ＨＴＭＬ文書情報が印刷されたＦＡＸ用紙が嵩張るといった問題点があった。また、ＨＴＭＬ文書情報の一部が別のＦＡＸ用紙に印刷されると、ユーザーが指定したＨＴＭＬ文書情報が分散するので、ＦＡＸ用紙に印刷されたＨＴＭＬ文書情報の要点をユーザーが把握するのに不便であった。
【０００５】
そこで、本発明は、上述した問題点を解決するためになされた印刷システムであって、ユーザーが指定する一又は複数のコンテンツを、ユーザーが指定する出力サイズに調整して供給し、ユーザーが所望するレイアウトで印刷することにより、記録紙の使用量の削減と同時にコンテンツの要点把握を容易にすることを課題とする。
【０００６】
【課題を解決するための手段】
この課題を解決するために、請求項１に係る発明は、コンテンツを供給するコンテンツ供給手段と、前記コンテンツ供給手段に複数のコンテンツ源情報及びコンテンツ量情報を指示する情報指示手段と、前記コンテンツ供給手段から供給されたコンテンツを出力するコンテンツ出力手段と、を備え、前記コンテンツ供給手段は、前記各コンテンツ源情報で指定されたコンテンツを前記コンテンツ量情報で指定された出力サイズに調整して前記コンテンツ出力手段に供給する一方、前記コンテンツ出力手段は、前記コンテンツ供給手段から供給された各コンテンツをレイアウト処理して出力することを特徴とする。
【０００７】
また、請求項２に係る発明は、請求項１に記載する印刷システムであって、前記コンテンツ供給手段がコンテンツ源提供手段とコンテンツ量調整手段とで構成され、前記コンテンツ量調整手段は、前記コンテンツ源提供手段に保存されたコンテンツのうち前記コンテンツ源情報で指定されたものを、前記コンテンツ量情報で指定されたコンテンツ量に基づき詳細度を調整して、前記コンテンツ出力手段に供給することを特徴としている。
【０００８】
また、請求項３に係る発明は、請求項１又は請求項２に記載する印刷システムであって、前記コンテンツ供給手段がコンテンツ源提供手段とコンテンツ量調整手段とで構成され、前記コンテンツ量調整手段は、前記コンテンツ源提供手段に保存されたコンテンツのうち前記コンテンツ源情報で指定されたものを、前記コンテンツ量情報で指定されたコンテンツ量に基づき取捨選択して、前記コンテンツ出力手段に供給することを特徴としている。
【０００９】
また、請求項４に係る発明は、請求項１乃至請求項３のいずれか一つに記載する印刷システムであって、情報指示手段とコンテンツ出力手段とが一つの端末装置に備えられたことを特徴としている。
【００１０】
また、請求項５に係る発明は、請求項２又は請求項３に記載する印刷システムであって、情報指示手段とコンテンツ出力手段とコンテンツ量調整手段とが一つの端末装置に備えられたことを特徴としている。
【００１１】
また、請求項６に係る発明は、請求項１乃至請求項５のいずれか一つに記載する印刷システムであって、コンテンツがインターネット上のものであることを特徴としている。
【００１２】
すなわち、本発明の印刷システムでは、ユーザーが情報指示手段で複数のコンテンツ源情報及びコンテンツ量情報をコンテンツ供給手段に指示すると、コンテンツ供給手段は、コンテンツ源情報で指定されたコンテンツをコンテンツ量情報で指定された出力サイズに調整してコンテンツ出力手段に供給し、コンテンツ出力手段は、コンテンツ供給手段から供給された各コンテンツをレイアウト処理して出力するので、ユーザーが指定する各コンテンツを、ユーザーが指定する出力サイズに調整して供給し、ユーザーが所望するレイアウトで印刷することにより、記録紙の使用量の削減と同時にコンテンツの要点把握を容易にすることができる。
【００１３】
尚、コンテンツ供給手段を、コンテンツ源提供手段とコンテンツ量調整手段とで構成し、コンテンツ源提供手段は、コンテンツ源情報の指定対象であるコンテンツを保存するものとし、コンテンツ量調整手段は、コンテンツ源提供手段に保存されたコンテンツのうちコンテンツ源情報で指定されたものを、コンテンツ量情報で指定されたコンテンツ量に基づき詳細度を調整して、コンテンツ出力手段に供給するものとしてもよい。
【００１４】
また、コンテンツ供給手段を、コンテンツ源提供手段とコンテンツ量調整手段とで構成し、コンテンツ源提供手段は、コンテンツ源情報の指定対象であるコンテンツを保存するものとし、コンテンツ量調整手段は、コンテンツ源提供手段に保存されたコンテンツのうちコンテンツ源情報で指定されたものを、コンテンツ量情報で指定されたコンテンツ量に基づき取捨選択して、コンテンツ出力手段に供給するものとしてもよい。
【００１５】
また、コンテンツ供給手段と、情報指示手段、コンテンツ出力手段は、一つの場所にあってもよいし、それぞれ別の場所にあってもよいし、情報指示手段とコンテンツ出力手段とが一つの端末装置に備えられてもよい。さらに、コンテンツ供給手段を、コンテンツ源提供手段とコンテンツ量調整手段とで構成した場合には、情報指示手段とコンテンツ出力手段とコンテンツ量調整手段とが一つの端末装置に備えられてもよい。
【００１６】
また、コンテンツ供給手段は、一つ又は複数存在してもよく、インターネット上のコンテンツを供給するものでもよい。
【００１７】
【発明の実施の形態】
以下に本発明の実施の形態について、図面とともに説明する。
図１は、本発明が適用されたファクシミリ装置１の使用形態を表す説明図であり、図２は、ファクシミリ装置１の外部構成を表す概略斜視図、図３は、ファクシミリ装置１の内部構成を表す説明図である。
【００１８】
図１に示すように、ファクシミリ装置１は、回線制御部３と、通信モジュール５と、を備えている。回線制御部３は、外部接続ポート４（図４参照）を備えており、この外部接続ポート４には、建造物内（家庭内、オフィス内等）に設置されたスプリッタ８の電話機用の接続ポートに繋がるアナログ線Ｌ１（２芯線、４芯線からなる所謂電話線）が接続されている。
【００１９】
一方、通信モジュール５は、ＷＡＮ側接続ポート６及びＬＡＮ側接続ポート７（図３参照）を備えており、ＷＡＮ側接続ポート６は、スプリッタ８のＡＤＳＬモデム用の接続ポートにＬＡＮケーブルＬ２を介して接続されたＡＤＳＬモデム９に繋がるＬＡＮケーブルＬ３に接続され、ＬＡＮ側接続ポート７は、ハブ（ＨＡＢ）１１に接続されている。
【００２０】
また、このハブ（ＨＵＢ）１１には、双方向通信可能な複数のＰＣ１３、１４や、プリンタ１６（ネットワーク接続可能なインクジェットプリンタ、レーザプリンタなど）、ＩＰ（インターネット・プロトコル）方式で音声信号を送受信可能なＩＰ電話機１５、インターネット接続可能なインターネットファクシミリ装置１７などの各ＬＡＮ端末１３〜１７が接続されている。即ち、ハブ（ＨＡＢ）１１は、上記各ＬＡＮ端末１３〜１７から構成される建造物内のローカルエリアネットワーク（ＬＡＮ）に接続されている。
【００２１】
一方、上記スプリッタ８は、ＡＤＳＬを利用する際に使用される周知のスプリッタであり、基地局側に設定されたスプリッタ１９から送信されてくる概ね４ｋＨｚ以下の第一信号とそれより高周波のＡＤＳＬ用の第二信号とが重畳された伝送信号を、その第一信号と、第二信号に分離し、第一信号を、電話機用の上記接続ポートに出力すると共に第二信号をＡＤＳＬモデム用の上記接続ポートに出力する一方で、各接続ポートから入力されてきた信号を重畳して、基地局側のスプリッタ１９に送信する構成にされている。
【００２２】
即ち、本実施の形態のファクシミリ装置１は、回線制御部３を用いて、公衆回線網（即ち、公衆交換電話綱：ＰＳＴＮ）内の加入者電話機に接続可能な構成にされ、更に、通信モジュール５及びＡＤＳＬモデム９を介して広域ネットワーク（ＷＡＮ）としてのインターネットに接続可能な構成にされている。
【００２３】
更に、このファクシミリ装置１は、通信モジュール５の後述するルータ制御部１０１の動作により、インターネット内の通信装置（ＷＷＷサーバ２１等）とＬＡＮ内の各ＬＡＮ端末１３〜１７との間で送受信されるデータ（ＩＰパケット）をルーティングするルータとして機能する構成にされている。
【００２４】
また、本実施の形態のファクシミリ装置１は、原稿から光学的に画像を読み取り、その画像を表すイメージデータをファクシミリデータにして、上記アナログ繰Ｌ１を介して公衆回線網に接続された外部のファクシミリ装置２３に送信すると共に、外部のファクシミリ装置２３から公衆回線網及びアナログ線Ｌ１を介して送信されてきたファクシミリデータを受信して、記録紙にそのファクシミリデータに基づく画像を形成する通常の機能（ファクシミリ機能）の他、プリンタ機能、コピー機能を有している。
【００２５】
このプリンタ機能とは、ＰＣ１３、１４やワードプロセッサ等から送信されてきたコードデータに基づく画像を記録紙に形成する機能のことを意味し、当該ファクシミリ装置１は、ＰＣインタフェース（ＰＣ  Ｉ／Ｆ）２４を介して外部のＰＣからコードデータを受信したり、通信モジュール５を介してＬＡＮ内のＰＣ１３，１４等からコードデータを受信すると、そのデータに基づく画像を記録紙に形成する構成にされている。また、コピー機能とは、後述するスキャナ部３５及び記録部３７を用いて、原稿から画像を読み取り、そのイメージデータに基づいて、記録紙に画像を形成する複写機能を意味する。
【００２６】
このような機能を有するファクシミリ装置1には、図２に示すように、その本体ケース２５の側部に、ハンドセット（Ｈ／Ｓ）２６が取り付けられ、上面の前部に、操作パネル２７が設けられている。尚、この操作パネル２７には、相手側の電話番号（ＦＡＸ番号）を入力するための数字キー２７１や、スタートキー２７２、選択キー２７３などの各種操作キー２７０と、各種機能に関連する情報を表示するための液晶ディスプレイ（ＬＣＤ）２７４と、が備えられている。
【００２７】
この他、本体の上部後部には、装置内に供給する記録紙を収容するための第一給紙トレイ２９が設けられ、その上には記録紙を載置するためのものであって利用者による手差しで記録紙を供給するための第二給紙トレイ３１が設けられている。更に、その上には、読取用の原稿用紙を載置するための原稿用給紙トレイ３３が設けられている。
【００２８】
また、本体には、図３に示すように、原稿から画像を読み取るためのスキャナ部３５、記録紙に多色カラーの画像を形成するための記録部３７、及び、これらの各部の駆動を制御するＣＰＵ３９（図４参照）を搭載する基板（図示せず）、などが内蔵されている。
【００２９】
スキャナ部３５では、原稿用給紙トレイ３３に載置された原稿が、原稿センサ（図示せず）により検出され、図３の矢印Ａにて示すように、給紙ローラ４１及び分離パッド４３等からなる給紙機能によって一枚ずつ取り込まれ、この後に、搬送ローラ４５により読取装置４７まで搬送される。そして、読取装置４７では、原稿上に形成されている画像が読み取られる。また、読取装置４７による画像読取後の原稿は、排紙ローラ４９を介して前方に設けられた第一排紙トレイ５１に排出される。
【００３０】
尚、このスキャナ部３５には、上記原稿センサの他に、原稿の先頭を検出する原稿フロントセンサ５３と、原稿の後端を検出する原稿リアセンサ５５と、が設けられており、ＣＰＵ３９は、これらのセンサからの検出結果に基づき、スキャナ部３５内の各部を制御して紙送りを調整し、上記スキャナ部３５の動作を実現する。
【００３１】
一方、記録部３７では、第一給紙トレイ２９あるいは第二給紙トレイ３１に載置された記録紙が、図３の矢印Ｂにて示すように、給紙ローラ５７及び分離パッド５９等からなる給紙機構によって一枚ずつ取り込まれる。そして、記録紙は、搬送ローラ６１を介して画像形成装置６３に送られる。画像形成装置６３では、記録紙上に複数色（本実施の形態ではシアン、マゼンタ、イエロー及びブラック）のトナーの組合せによる多色カラーの画像が形成される。また、画像形成装置通過後の記録紙は、下流側の定着装置６５に送られる。そして、この定着装置６５では、トナーによる画像が記録紙上に定着される。更に定着装置通過後の記録紙は、排紙ローラ６７を介して、本体の前面に設けられた第二排紙トレイ６９に排出される。
【００３２】
尚、上記画像形成装置６３は、レーザ光走査装置７１を動作させて感光ドラムにレーザ光を照射し、その表面に静電潜像を形成する構成にされている。このレーザ光走査装置７１は、ＣＰＵ３９からの指令に従って、イメージデータに基づくレーザ光を発射するレーザ発光部７７と、レーザ光反射用のレンズ７８、及びレンズ７８に反射されたレーザ光を感光ドラムに導く反射ミラー７９等を備えている。この他、画像形成差置６３は、トナーを貯留するトナータンク７３を備えており、静電潜像形成後の感光ドラムにトナータンク７３から供給されたトナーを付着させ、転写ローラ７５により、記録紙に電荷を付与して感光ドラムに付着したトナーを記録紙に転写する構成にされている。
【００３３】
次に、ファクシミリ装置１の電気的構成について説明する。尚、図４は、本実施の形態のファクシミリ装置１の電気的構成を表すフロック図である。また、図５は、ＲＡＭ８３のデータ構成を表す説明図（同図（ａ））、ＲＯＭ８１内のデータ構成を表す説明図（同図（ｂ））及び、後述する宛先情報記憶部８３ｃ内のデータ構成を表す説明図（同図（ｃ））である。
【００３４】
ファクシミリ装置1は、主に、ＣＰＵ３９、ＲＯＭ８１、ＲＡＭ８３、スキャナ部３５、符号器８５、記録部３７、復号器８７、操作キー２７０、ＬＣＤ２７４、モデム８９、回線制御部３、ＰＣインタフェース（ＰＣ  Ｉ／Ｆ）２４、メール制御部９１、機能拡張用インタフエース（Ｉ／Ｆ）９３を備えており、夫々はパス９５を介して接続されている。また、この機能拡張用インタフェース９３には、通信モジュール５が接続されている。
【００３５】
ＣＰＵ３９は、本装置の制御の中枢を担っており、装置全体を統括制御する構成にされている。つまり例えば、ＣＰＵ３９は、ＲＯＭ８１内に予め記録された制御処理用のプログラムを読み出し、そのプログラムに従って、ファクシミリデータの送受信や、宛先登録等の処理を実行する。
【００３６】
尚、ＲＯＭ８１内には、当該装置をファクシミリ装置として動作させるために必要なファクシミリ機能用プログラム群８１ａ（図５（ｂ）参照）が記憶されている。具体的には例えば、回線制御部３が外部のファクシミリ装置２３から受信したファクシミリデータに基づく画像を記録部３７に形成させるための受信用プログラム等が上記ファクシミリ機能用プログラムとしてＲＯＭ８１に納められている。
【００３７】
また、ＲＯＭ８１内には、当該装置をＰＣ等から送信されてきたデータを印刷するプリンタとして動作させるために必要なプリンタ機能用プログラム群８１ｂが記憶されている。具体的には例えば、通信モジュール５がＬＡＮ内のＰＣ１３，１４から受信したデータに基づく画像を記録部３７に形成させるためのＰＣ印刷用プログラムが上記プリンタ機能用プログラムとしてＲＯＭ８１に納められている。
【００３８】
この他、ＲＯＭ８１内には、上記プログラム等で呼び出される記録部制御用プログラム８１ｃや、その他の図示しない各種プログラム、そのプログラム実行時に必要な各種データが予め記憶されている。
【００３９】
一方、ＲＡＭ８３は、各種制御を行う際に必要なワークメモリ８３ａ（図５（ａ）参照）や、ファクシミリデータ等を記憶する送受信データ記憶部８３ｂ、ファクシミリデータの送信先に関する宛先情報を記憶する宛先情報記録部８３ｃ、として機能するようにされている。
【００４０】
また、宛先情報記憶部８３ｃは、図５（ｃ）に示すように、ファクシミリデータの送信先に関する宛先情報として電話番号を記録可能な構成にされ、更に、この電話番号に関連づけて、メールアドレスを記憶可能な構成にされている。即ち、当該ファクシミリ装置１は、相手先装置（外部のファクシミリ装置２３）が公衆回線網経由のファクシミリデータの送受信の他に、インターネット経由の電子メールの送受信を行うことが可能な構成にされている場合に備えて、一つの宛名に対して、電話番号とメールアドレスの両方を併記した形で宛先情報を登録できるように構成されている。
【００４１】
スキャナ部３５は、ファクシミリデータの送信やコピー（原稿の複写）等の際に、原稿を読み取るためのものである。本実施の形態のスキャナ部３５は、上述したように、原稿を原稿用給紙トレイ３３から取得し、読取装置４７にて画像を読み取り、読取結果としてのイメージデータを符号器８５などに出力する構成にされている。
【００４２】
また、符号器８５は、スキャナ部３５によって読み取られたイメージデータをファックスフォーマットであるＧ３圧縮形式のイメージデータにするために、符号化処理を実行し、その処理後のイメージデータを出力する構成にされている。
一方、復号器８７は、ファックスフォーマットのイメージデータを復号化して、記録部３７にて処理可能なイメージデータに変換する構成にされている。
【００４３】
また、記録部３７は、上述したように、カラー画像を形成可能な所謂カラーレーザプリンタとして機能する構成にされており、記録部制御用プログラム８１ｃを実行するＣＰＵ３９からの指令に従い、復号器８７によって復号化されたイメージデータに基づくカラー画像を、画像形成装置６３を用いて記録紙に印刷し、印例後の記録紙を出力する構成にされている。
【００４４】
尚、本実施の形態の記録部３７は、通常印刷モードの他に、通常より静かな音で画像を形成することが可能な静音印刷モードを備えており、これらの印刷モードをＣＰＵ３９からの指令に従って切り換えて動作する構成にされている。また、記録部３７は、単色印刷も可能な構成にされており、ＣＰＵ３９からの指令にしたがって、指定色のトナーのみを用いて画像を形成することが可能な構成にされている。
【００４５】
この他、操作キー２７０は、上述したように操作パネル２７上に設けられており、利用者の操作に従って、宛先情報の登録、宛先の指定、メモ情報の入力や選択等といった各種処理操作を行うための指令信号を装置内（ＣＰＵ３９など）に入力する構成にされている。
【００４６】
同じく操作パネル２７に設けられたＬＣＤ２７４は、利用者に操作手順を案内するメッセージやエラーメッセージ等の各種メッセージ等を表示するための表示手段として設けられている。また、本実施の形態のＬＣＤ２７４は、タッチパネルとしての機能を備えており、ファクシミリデータの宛先指定や宛先情報の登録の際に、ワンタッチキーの表示を行うと共に、利用者の操件情報を取得し装置内に入力する構成にされている。
【００４７】
モデム８９は、回線制御部３を介してスプリッタ８経由で公衆回線網に接続された外部のファクシミリ装置２３との間でファクシミリデータの送受信を行うためのものである。回線制御部３は、公衆回線網に対するダイヤル信号の送出や、公衆回線網からの呼出信号に対する応答等の動作を行うものであり、例えば、公衆回線網を介して自身を外部のファクシミリ装置２３に通信可能に接続する。
【００４８】
一方、ＰＣインタフェース２４は、ＰＣと当該ファクシミリ装置１とをパラレルインタフェース等を介して接続するときに用いられるものであり、ＰＣ１３，１４からのコードデータ等を受信したりする。
【００４９】
また、メール制御部９１は、インターネットに接続された外部の通信装置との間で電子メールの送受信を行うことによって、電子メールによるファクシミリデータの送受信を実現するものである。
つまり、メール制御部９１は、符号器８５にて符号化されたファクスフォーマットのバイナリイメージデータを、テキストコードのイメージデータに変換すると共に、送信先のメールアドレス等を含むヘッダ情報をそのデータに付加することにより、ファックスフォーマットのイメージデータを、電子メールとして送信可能な電子メールフォーマットのイメージデータにフォーマット変換したり、逆にインターネット経由で通信モジュール５を介して受信した電子メールフォーマットのイメージデータを、ファックスフォーマットのイメージデータに逆フォーマット変換する処理を行う。尚、このメール制御部９１によってファックスフォーマットのイメージデータに逆フォーマット変換されたデータは、復号器８７によつて記録部３７で出力可能なイメージデータに復号化されてから記録紙に印刷される。
【００５０】
機能拡張用インタフェース（Ｉ／Ｆ）９３は、別体で構成されたルータ制御部１０１を備える通信モジュール５を着脱自在に接続することができる構成にされたＡＩＯ（アナログ入出力）やＲＳ２３２Ｃ等のシリアルインタフェースである。尚、図３に示すように、通信モジュール５は、装置の本体ケース２５内に収容される。
【００５１】
また、通信モジュール５は、ルータ制御部１０１、ハブ（ＨＵＢ）１０３、ＩＰ電話部１０５、無線処理部１０７、ウェブプリント部１１０や、ルータ制御部１０１に繋がるインタフェース接続端子１０９などを備えている。尚、通信モジュール５は、このインタフェース接続端子１０９を介してインタフェース９３に接続される。
【００５２】
ルータ制御部１０１は、ＡＤＳＬモデム９を介してインターネット内の通信装置との間でＩＰパケットの送受信を行うためのものであり、周知のＩＰマスカレード機能やルーテイング機能を備えるブロードバンドルータとして機能する。
即ち、このルータ制御部１０１は、ＩＰマスカレード機能により、ＬＡＮ内で用いられるプライベートＩＰアドレスと、ＷＡＮ（本実施の形態ではインターネット内）で用いられるグローバルＩＰアドレスとを相互変換し、ルーティング機能により、ＬＡＮ側の端末と、ＷＡＮ側の通信装置（ＷＷＷサーバ２１）と、を双方向通信可能に接続する。
【００５３】
例えば、ルータ制御部１０１は、ハブ１０３を介してＩＰ電話部１０５、無線処理部１０７、ウェブプリント部１１０との間でのデータの送受信を行うことにより、ＩＰ電話部１０５、無線処理部１０７及びウェブプリント部１１０をＡＤＳＬモデム９を介してインターネットに双方向通信可能に接続する。
【００５４】
また更に、ルータ制御部１０１は、ハブ１０３を介してＬＡＮ側接続ポート７に接続されるＬＡＮ内のＬＡＮ端末１３〜１７との間で通信を行うことにより、ＬＡＮ内のＬＡＮ端末１３〜１７をインターネットに双方向通信可能に接続する。つまり例えば、ルータ制御部１０１は、経路制御して、インターネット内のＷＷＷサーバ２１から受信したデータを、宛先のＬＡＮ端末１３〜１７に送信する。
【００５５】
この他、ルータ制御部１０１は、装置本体側のＣＰＵ３９とインタフェース９３を介して通信を行うことができるようにされている。即ち、ＬＡＮ端末１３〜１７やＩＰ電話部１０５、無線処理部１０７、ウェブプリント部１１０は、ルータ制御部１０１及びインタフェース９３を介して装置本体側のＣＰＵ３９と双方向通信を行うことができ、例えば、当該ファクシミリ装置１のＣＰＵ３９は、ルータ制御部１０１を介してＬＡＮ内のＰＣ１３，１４から印刷用のコードデータを取得すると、ＣＰＵ３９にて、プリンタ機能用プログラムを実行し、そのプログラム内で記録部制御用プログラム８１ｃを呼び出して記録部３７を制御し、そのデータに基づく画像を形成する。
【００５６】
一方、このルータ制御部１０１にハブ１０３を介して接続されたＩＰ電話部１０５は、音声信号をＩＰパケットに格納し、インターネット経由で、外部のＩＰ電話機と、音声通信（通話）を行うことが可能な構成にされている。
【００５７】
また、無線処理部１０７は、外部の無線通信装置と該当ファクシミリ装置１との間で無線通信を行うためのものであり、ブルートゥース規格（近距離無線通信の規格）やＩｒＤＡ規格（赤外線通信の規格）による無線接続方式にて、外部の無線通信装置をファクシミリ装置１内の各部に双方向通信可能に接続する構成にされている。即ち、当該ファクシミリ装置１においては、ハブ１０３に接続された接続ポート７を用いることにより、有線接続方式にて各ＬＡＮ端末１３〜１７をファクシミリ装置１に接続することができる他、この無線処理部１０７を用いることにより、無線接続方式にてＬＡＮ端末１３〜１７をファクシミリ装置１に接続することができる。
【００５８】
この他、ウェブプリント部１１０は、ＣＰＵ１１１、ＲＯＭ１１３、ＲＡＭ１１５、ネットワークインタフェース１１７などを備えており、ネットワークインタフエース１１７を介してルータ制御部１０１との間で通信を行うことにより、自身をインターネットに接続したり、装置本体側のＣＰＵ３９と通信を行う構成にされている。
【００５９】
ここで、図６は、ウェブプリント部１１０のＲＡＭ１１５内のデータ構成を表す説明図（同図（a））、ＲＯＭ１１３内のデータ構成を表す説明図（同図（ｂ））である。
このウェブプリント部１１０におけるＲＡＭ１１５は、図６（ａ）に示すように、ワークメモリ１１５ａや、ＷＷＷサーバ２１から取得したダウンロードデータ等を記憶する送受信データ記憶部１１５ｂ、ＷＷＷサーバ２１のアドレス（ＵＲＬ：Ｕｎｉｆｏｒｍ  Ｒｅｓｏｕｒｃｅ  Ｌｏｃａｔｏｒ）情報を記憶するＵＲＬ情報記録部１１５ｃ、後述する転送機能を使用する際のデータ転送先に関する転送先情報を記憶する転送先情報記憶部１１５ｄ、アクセス禁止データベース１１５ｅ、キーワードデータベース１１５ｆ、履歴情報記憶部１１５ｇ、ログ記録部１１５ｈなどとして機能する構成にされている。
【００６０】
ＵＲＬ情報記憶部１１５ｃは、図６（ｃ）に示すように、データ取得先を表すＵＲＬに関連付けて、メモ情報、スケジューラ用設定データを複数個記録可能な構成にされている。
即ち、通信モジュール５は、利用者による操作パネル２７の操作等によって外部入力されたメモ情報を、対応するＵＲＬに対して関連付けてＵＲＬ情報記憶部１１５ｃに登録できるようにされている。尚、周知のようにＵＲＬは、サーバアドレス、ディレクトリ情報、ファイル名などから構成されるアドレス情報である。また、図７は、ウェブプリント部１１０のＣＰＵ１１１が実行するＵＲＬ・メモ情報登録処理を表すフロ一チャートである。
【００６１】
処理を実行すると、ＣＰＵ１１１は、Ｓ１０１にてＵＲＬ及びメモ情報の入力を求める入力指示メッセージをインタフェース９３を介して装置本体側に送信することにより、装置本体側のＬＣＤ２７４にその入力指示メッセージを表示させる。この後、ＣＰＵ１１１は、Ｓ１０３にて、ＵＲＬ及びメモ情報の登録指令が操作パネル２７からインタフェース９３を介して送信されてくるまで待機し、登録指令を受信すると、Ｓ１０５にて、その操作パネル２７から入力されたＵＲＬ及びメモ情報を装置本体側から取得し、更にＳ１０７にて、そのＵＲＬ及びメモ情報を互いに関連付けてＵＲＬ情報記憶部１１５ｃに記録させる。尚、メモ情報は、現状においてＵＲＬがローマ字で標記され、その表示だけではどのホームページヘアクセスするかがわかりにくく、更には、ＬＣＤ２７４の表示領域も限られているため、目的のＵＲＬを探すのが容易ではないことから、利用者が瞬時にそのＵＲＬを判別できるようにするために設けたものである。
【００６２】
この他、転送先情報記憶部１１５ｄは、後述するプリンタ転送用のアドレス情報と、ＰＣ転送用のアドレス情報とを記憶する構成にされている。尚、この転送先情報記憶部１１５ｄは、プリンタ転送用及びＰＣ転送用のアドレス情報として、ＬＡＮ内のプライベートＩＰアドレスに加え、ポート番号を記憶する構成にされている。
【００６３】
一方、ウェブプリント部１１０におけるＲＯＭ１１３内には、図６（b）に示すように、ＷＷＷサーバ２１からデータを取得したり、当該装置の記録部３７にＷＷＷサーバ２１から取得したダウンロードデータを印刷させるための後述する各処理を表すウェブプリント機能用プログラム群１１３ａや、ウェブプリント機能動作時における動作条件を表すフラグ情報１１３ｂ、などが記憶されている。
【００６４】
詳述すると、このウェブプリント部１１０は、ルータ制御部１０１経由でＷＷＷサーバ２１から取得したダウンロードデータに基づく画像を記録部３７に印刷させる印刷機能、ＲＡＭ１１５内にデータを一時保存する保存機能、ダウンロードデータをＬＡＮ側接続ポート７を介してＬＡＮに接続された転送先のプリンタ（転送先情報記憶部１１５ｄに記憶されているプリンタ転送先のアドレス情報で特定されるプリンタ）１６に転送するプリンタ転送機能、ダウンロードデータをＬＡＮ側接続ポート７を介してＬＡＮに接続されたＰＣ１３，１４に転送するＰＣ転送機能、ダウンロードデータに基づく画像を記録部３７に単色で印刷させる単色印刷機能、印刷時の機械音が抑えられた上記静音印刷モードで記録部３７を動作させてダウンロードデータに基づく画像を印刷させる静音印刷機能、ウェブプリント部１１０で実行した各処理に関するログ情報を保存するログ保存機能、エラーメッセージをＬＣＤ２７４に表示させるエラー情報表示機能等を備えており、これらの機能をＲＯＭ１１３内が記憶するウェブプリント機能用プログラム群１１３ａで実現する構成にされ、図８に示すフラグ情報１１３ｂに基づいて、各機能を動作させるかどうか（即ち、機能のＯＮ／ＯＦＦ）を切り換える構成にされている。
尚、図８は、フラグ情報１１３ｂとしてＲＯＭ１１３内に記憶されているデータの構成を表す説明図である。
【００６５】
ウェブプリント部１１０は、所定条件で、図８に示す『正常』動作モード、『ＵＲＬアクセス不許可』動作モード、『印刷キャンセル』動作モード・『パスワードエラー』動作モード、『キーワードエラー』動作モード、『同一コンテンツ検出』動作モード、『夜間印刷』動作モード、『留守番』動作モード、『大量モノクロ印刷』動作モード、『紙なしエラー』動作モード、『トナーなしエラー』動作モードのいずれかを選択し、各機能の値（以下、「フラグ値」と表現する。）をフラグセット情報としてＲＡＭ１１５内に書き込むことによってフラグをセットするようにされている。また、ウェブプリント部１１０は、フラグ値”１”以上で、その機能を動作（ＯＮ）させ、フラグ値”０”で、その機能の動作を禁止（ＯＦＦ）する構成にされている。また、図８において表す記号＊は、その動作モードが選択される前にフラグセット情報として記憶されているフラグ値を書き換えないようすることを示している。
【００６６】
次に、本発明の実施の形態の印刷システムについて説明する。図９に、本実施の形態の印刷システム３０１Ａの概念図を示す。本実施の形態の印刷システム３０１Ａでは、サーバ側とクライアント側がインターネットを介して接続されている。
【００６７】
この点、サーバ側は、図１のＷＷＷサーバ２１に相当するコンテンツ源提供手段３０２，３０３などを有する。尚、図９では、２つのコンテンツ源提供手段３０２，３０３が明記されているが、１つ又は複数個有していてもかまわない。
【００６８】
一方、クライアント側は、コンテンツ量調整手段３０４や、情報指示手段３０５、コンテンツ出力手段３０６などを有し、これらの３つ手段は、図１のファクシミリ装置１に装備される。具体的に言えば、コンテンツ量調整手段３０４は、図４のＲＯＭ８１又はＲＯＭ１１３に記憶されたプログラムにより、図４のＲＡＭ８３又はＲＡＭ１１５にダウンロードされたコンテンツの量を調整するものである。情報指示手段３０５は、図４の操作キー２７０により、「コンテンツ源情報」であるＵＲＬや、後述する「コンテンツ量情報」を入力するものである。コンテンツ出力手段３０６は、図４のウェブプリント部１１０などにより、ＷＷＷ上のコンテンツをレイアウト処理して記録紙に印刷するものである。もっとも、これらの３つの手段は、図１のＰＣ１３，１４や、プリンタ１６、インターネットファクシミリ装置１７で行ってもかまわない。
【００６９】
そして、本実施の形態の印刷システム３０１Ａでは、クライアント側で、図１３のフローチャートを実行することにより、例えば、一又は複数のコンテンツを３枚のＡ４サイズの記録紙に印刷することができる。具体的には、図１３のＳ２１において、情報指示手段３０５により、「コンテンツ源情報」であるＵＲＬを介して、例えば、ＷＷＷ上の複数のニュースサイトのコンテンツ（例えば、政治、経済、生活、新製品情報など）を指定し、Ｓ２２において、情報指示手段３０５により、「コンテンツ量情報」として、例えば、３枚のＡ４サイズの記録紙に印刷することを指定する。
【００７０】
その後は、コンテンツ量調整手段３０４が以下の処理を行う。すなわち、Ｓ２３において、ＵＲＬで指定された各コンテンツを掲載したダウンロードリストを作成し、Ｓ２４において、ＵＲＬで指定された各コンテンツを優先度の高い順に並び替える。そして、Ｓ２５において、優先度の最も高いコンテンツを選択し、Ｓ２６において、記録紙の紙面の残り容量を検討した上で、コンテンツ源提供手段３０２，３０３などからダウンロードを行う。
【００７１】
このとき、記録紙の紙面の残り容量が多いと判断する場合には、Ｓ２７に進んで、詳細に記載されたコンテンツをダウンロードする。一方、記録紙の紙面の残り容量が少ないと判断する場合には、Ｓ２９に進んで、要約が記載されたコンテンツをダウンロードする。尚、記録紙の紙面の残り容量が多いとも少ないとも判断しない場合には、Ｓ２８に進んで、標準に記載されたコンテンツをダウンロードする。
【００７２】
そして、優先度の最も高いコンテンツをダウンロードし終わったら、Ｓ３０に進んで、当該コンテンツをダウンロードリストから削除し、Ｓ３１において、ダウンロードされたコンテンツで記録紙の紙面が一杯であるか否かを判断する。ここで、ダウンロードされたコンテンツで記録紙の紙面が一杯であると判断しない場合（Ｓ３１：Ｎｏ）には、Ｓ３２に進んで、コンテンツのダウンロードが終了したか否かを判断する。ここで、コンテンツのダウンロードが終了したと判断しない場合（Ｓ３２：Ｎｏ）には、Ｓ２５に戻って、Ｓ２５以降の処理を繰り返して行う。
【００７３】
一方、ダウンロードされたコンテンツで記録紙の紙面が一杯であると判断する場合（Ｓ３１：Ｙｅｓ）や、コンテンツのダウンロードが終了したと判断する場合（Ｓ３２：Ｙｅｓ）には、Ｓ３３に進んで、コンテンツ出力手段３０６により、ダウンロードされたコンテンツを割り付けてＡ４サイズの記録紙に印刷する。
【００７４】
尚、図１３のフローチャートでは、コンテンツ量調整手段３０４が、記録紙の紙面の残り容量を検討した上で、コンテンツ源提供手段３０２，３０３などからＵＲＬで指定されたコンテンツのダウンロードを行っていたが（Ｓ２６〜Ｓ２９）、図１４に示すような方法で行ってもよい。
【００７５】
すなわち、コンテンツ源提供手段３０２，３０３などのコンテンツ源のコンテンツをダウンロードして１枚又は複数枚の記録紙に印刷させる方法としては、図１４に示すように、
（１）ダウンロードするコンテンツを取捨選択するもの、
（２）ダウンロードするコンテンツの詳細度を指定してコンテンツ量を調整するもの（図１３に記載されたもの）、
（３）ダウンロードしたコンテンツから重要事項を抜き出して要約文を作成するもの、
（４）ダウンロードしたコンテンツの画像サイズを調整するもの、
（５）ダウンロードしたコンテンツの文字サイズを調整するもの、
（６）ダウンロードしたコンテンツの割り付けを行うもの、
などがある。
【００７６】
また、図１４に示す以外の方法としては、
（７）先ず、見出し分のコンテンツをダウンロードし、見出し分のコンテンツが少なければ、さらに、詳細のコンテンツをダウンロードするもの、
（８）コンテンツの図形・写真・動画などを縮小・削除するもの、
（９）固有名詞を含まない文章をコンテンツから削除するもの、
などがある。
【００７７】
上記（１）〜（９）の方法は、後述する本実施の印刷システム３０１Ｂ，３０１Ｃ，３０１Ｄにおいても、コンテンツ量を調整する方法の一つとして使用することができる。
【００７８】
以上詳細に説明したように、本実施の印刷システム３０１Ａでは、ユーザーが情報指示手段３０５で、「コンテンツ源情報」として、ＷＷＷ上の複数のニュースサイトのコンテンツ（例えば、政治、経済、生活、新製品情報など）をＵＲＬで指定し（Ｓ２１）、「コンテンツ量情報」として、３枚のＡ４サイズの記録紙に印刷することを指定し（Ｓ２２）、コンテンツ量調整手段３０４に指示すると、コンテンツ量調整手段３０４は、記録紙の紙面の残り容量を検討した上で、コンテンツ源提供手段３０２，３０３などからＵＲＬで指定されたコンテンツのダウンロードを行い（Ｓ２６〜Ｓ２９）、コンテンツ出力手段３０６により、ダウンロードされたコンテンツを割り付けてＡ４サイズの記録紙に印刷している（Ｓ３３）。従って、ユーザーが複数のコンテンツ（例えば、政治、経済、生活、新製品情報など）を、ユーザーが指定する出力サイズ（ここでは、詳細・標準・要約のいずれかのサイズ）に調整して供給し、ユーザーが所望するレイアウト（ここでは、３枚のＡ４サイズの記録紙）で印刷するので、記録紙の使用量の削減と同時にコンテンツの要点把握を容易にすることができる。
【００７９】
尚、本実施の印刷システム３０１Ａでは、コンテンツ源提供手段３０２，３０３は、図９に示すように、図１のＷＷＷサーバ２１に相当するものであったが、この点、図１５の概念図で示された印刷システム３０１Ｂのように、内部接続されたコンテンツ源提供手段３０７であってもよい。このコンテンツ源提供手段３０７には、例えば、図１のＰＣ１３，１４にセットされたＣＤ−ＲＯＭなどがある。
【００８０】
次に、図１７の概念図で示された印刷システム３０１Ｄについて説明する。本実施の形態の印刷システム３０１Ｄでは、サーバ側とクライアント側がインターネットを介して接続されている。
【００８１】
この点、サーバ側は、図１のＷＷＷサーバ２１に相当するコンテンツ源提供手段３０８などを有する。尚、図１７では、１つのコンテンツ源提供手段３０８が明記されているが、複数個有していてもかまわない。
【００８２】
一方、クライアント側は、情報指示手段３０５やコンテンツ出力手段３０６などを有し、これらの２つ手段は、図１のファクシミリ装置１に装備される。具体的に言えば、情報指示手段３０５は、図４の操作キー２７０により、「コンテンツ源情報」であるＵＲＬや、後述する「コンテンツ量情報」を入力するものである。コンテンツ出力手段３０６は、図４のウェブプリント部１１０などにより、ＷＷＷ上のコンテンツをレイアウト処理して記録紙に印刷するものである。もっとも、これらの２つの手段は、図１のＰＣ１３，１４や、プリンタ１６、インターネットファクシミリ装置１７で行ってもかまわない。
【００８３】
そして、本実施の形態の印刷システム３０１Ｄでは、例えば、図１０に示すように、Ａ４サイズの１枚の記録紙３１１に、社会ジャンルのニュースダイジェスト３１２と、経済ジャンルのニュースダイジェスト３１３、政治ジャンルのニュースダイジェスト３１４、国際ジャンルのニュースダイジェスト３１５を、所謂「４面割付」で印刷することができる。
このとき、本実施の形態の印刷システム３０１Ｄは、例えば、図１３のフローチャートで示したように動作する。すなわち、先ず、Ｓ１１において、クライアント側で、情報指示手段３０５により、「コンテンツ源情報」であるＵＲＬを介して、ＷＷＷ上のニュースサイトのコンテンツを４つ指定するとともに、「コンテンツ量情報」として、それぞれのコンテンツの出力サイズをＡ６サイズに共通して要求する。
尚、指定対象のコンテンツがＷＷＷ上のものである場合には、「コンテンツ源情報」及び「コンテンツ量情報」は、図１２に示すようにして、ＨＴＴＰのプロトコルで行われる。
【００８４】
ここで、サーバ（ＵＲＬで指定されたニュースサイト）側は、ＵＲＬで指定されたニュースでＡ６サイズのものをピックアップし、コンテンツ供給手段３０８からクライアント側に送信するので、クライアント側は、Ｓ１２において、Ａ６サイズの４つのコンテンツを受信し、Ｓ１３において、図４のＲＯＭ８１又はＲＯＭ１１３に設けられたページバッファ内の各エリアに展開し、Ｓ１４において、かかるページバッファの内容を印刷して、図１０に示すような、Ａ４サイズの１枚の記録紙３１１を出力する。
【００８５】
以上詳細に説明したように、本実施の形態の印刷システム１Ｄでは、ユーザーが情報指示手段３０５で、「コンテンツ源情報」であるＵＲＬを介して、ＷＷＷ上のニュースサイトのコンテンツ（ここでは、社会・経済・政治・国際の各ニュース）を４つ指定するとともに、「コンテンツ量情報」として、それぞれのコンテンツの出力サイズをＡ６サイズに共通して要求すると（Ｓ１１、図１２）、コンテンツ供給手段３０８は、「コンテンツ源情報」であるＵＲＬで指定されたコンテンツで、「コンテンツ量情報」で指定された出力サイズであるＡ６サイズのものをピックアップしてコンテンツ出力手段３０６に供給し（Ｓ１２）、コンテンツ出力手段３０６は、コンテンツ供給手段３０８から供給された４つのコンテンツをレイアウト処理して出力している（Ｓ１３，Ｓ１４、図１０）。従って、ユーザーが指定する４つのコンテンツ（ここでは、社会・経済・政治・国際の各ニュース）を、ユーザーが指定する出力サイズ（ここでは、Ａ６サイズの各ダイジェストニュース３１２，３１３，３１４，３１５）に調整して供給し、ユーザーが所望するレイアウト（ここでは、Ａ４サイズの記録紙３１１に所謂「４面割付」）で印刷するので、記録紙の使用量の削減と同時にコンテンツの要点把握を容易にすることができる。
【００８６】
尚、本発明は上記実施の形態に限定されるものでなく、その趣旨を逸脱しない範囲で様々な変更が可能である。
例えば、本実施の形態の印刷システム３０１Ｄでは、サーバ側とクライアント側がインターネットを介して接続されているものであったが、この点、サーバ側とクライアント側は、何らかの形で通信が可能であればよい。また、図１６の概念図で示された印刷システム３０１Ｃのように、ネットワークを経由することなく、コンテンツ供給手段３０８と、情報指示手段３０５、コンテンツ出力手段３０６を内部接続させてもよい。このとき、これら３つの手段は、一つの場所に位置してもよいし、それぞれ別の場所に位置してもよい。
【００８７】
また、本実施の形態の印刷システム３０１Ａ，３０１Ｂ，３０１Ｃ，３０１Ｄでは、コンテンツ出力手段３０６が記録紙にコンテンツを印刷するものであったが、この点、図４のＬＣＤ２７４や図１のＰＣ１３，１４のディスプレイなど、コンテンツを表示するものであってもよい。この場合には、例えば、「コンテンツ量情報」として、１画面分を指示すれば、スクロールやページ分割などの手段が不要となる。また、例えば、ＶＧＡ、ＳＶＧＡ、ＸＧＡ、…と画面サイズが異なるものに対しても、「コンテンツ量情報」を介して、コンテンツ供給手段３０８のコンテンツをそれぞれの画像サイズに合わせて表示させることができる。
【００８８】
また、本実施の形態の印刷システム３０１Ａ，３０１Ｂ，３０１Ｃ，３０１Ｄでは、複数のコンテンツを扱っていたが、一つのコンテンツを扱っても、記録紙の使用量の削減と同時にコンテンツの要点把握を容易にすることは可能である。
【００８９】
【発明の効果】
本発明の印刷システムでは、ユーザーが情報指示手段で複数のコンテンツ源情報及びコンテンツ量情報をコンテンツ供給手段に指示すると、コンテンツ供給手段は、コンテンツ源情報で指定されたコンテンツをコンテンツ量情報で指定された出力サイズに調整してコンテンツ出力手段に供給し、コンテンツ出力手段は、コンテンツ供給手段から供給された各コンテンツをレイアウト処理して出力するので、ユーザーが指定する各コンテンツを、ユーザーが指定する出力サイズに調整して供給し、ユーザーが所望するレイアウトで印刷することにより、記録紙の使用量の削減と同時にコンテンツの要点把握を容易にすることができる。
【図面の簡単な説明】
【図１】  本実施の形態のファクシミリ装置１の使用形態を表す説明図である。
【図２】  ファクシミリ装置１の外部構成を表す概略斜視図である。
【図３】  ファクシミリ装置１の内部構成を表す説明図である。
【図４】  ファクシミリ装置１の電気的構成を表すブロック図である。
【図５】  ＲＯＭ８１及びＲＡＭ８３内のデータ構成を表す説明図である。
【図６】  ウェブプリント部１１０のＲＯＭ１１３及びＲＡＭ１１５内のデータ構成を表す説明図である。
【図７】  ウェブプリント部１１０のＣＰＵ１１１が実行するＵＲＬ・メモ情報登録処理を表すフローチャートである。
【図８】  ＲＯＭ１１３内に記憶されているフラグ情報１１３ｂに関する説明図である。
【図９】  本発明の一実施形態による印刷システムの概念図である。
【図１０】  本発明の一実施形態による印刷システムにおいて印刷された記録紙の一例である。
【図１１】  本発明の一実施形態による印刷システムのフローチャート図である。
【図１２】  本発明の一実施形態の印刷システムにおいて、コンテンツ源情報及びコンテンツ量情報の入力例を示した図である。
【図１３】  本発明の一実施形態による印刷システムのフローチャート図である。
【図１４】  本発明の一実施形態の印刷システムにおいて、コンテンツの量を調整する方法を例示した図である。
【図１５】  本発明の一実施形態による印刷システムの概念図である。
【図１６】  本発明の一実施形態による印刷システムの概念図である。
【図１７】  本発明の一実施形態による印刷システムの概念図である。
【符号の説明】
３０１Ａ，３０１Ｂ，３０１Ｃ，３０１Ｄ  印刷システム
３０２，３０３，３０８  コンテンツ提供手段
３０４  コンテンツ量調整手段
３０５  情報指示手段
３０６  コンテンツ出力手段
３１１  記録紙
【図１】
0003716806.tif 000002
【図２】
0003716806.tif 000003
【図３】
0003716806.tif 000004
【図４】
0003716806.tif 000005
【図５】
0003716806.tif 000006
【図６】
0003716806.tif 000007
【図７】
0003716806.tif 000008
【図８】
0003716806.tif 000009
【図９】
0003716806.tif 000010
【図１０】
0003716806.tif 000011
【図１１】
0003716806.tif 000012
【図１２】
0003716806.tif 000013
【図１３】
0003716806.tif 000014
【図１４】
0003716806.tif 000015
【図１５】
0003716806.tif 000016
【図１６】
0003716806.tif 000017
【図１７】
0003716806.tif 000018